【事件の表示】
　特願２０１７−１７８７３３「情報処理装置、制御方法及びプログラム」拒絶査定不服審判事件〔平成２９年１２月　７日出願公開，特開２０１７−２１６０２０，請求項の数（８）〕について，次のとおり審決する。
【結　論】
　原査定を取り消す。
　本願の発明は，特許すべきものとする。
【理　由】
第１　手続の経緯
　本件審判請求に係る出願（以下，「本願」という。）は，平成２４年１０月２４日に出願した特願２０１２−２３４５７９号の一部を平成２９年９月１９日に新たな特許出願としたものであって，平成２９年９月１９日付けで審査請求がなされ，平成３０年６月７日付けで拒絶理由通知（同年６月１９日発送）がなされ，同年８月１０日付けで意見書が提出されるとともに，同日付けで手続補正がなされたが，平成３０年８月３０日付けで拒絶査定（同年９月１１日謄本送達）がなされた。
　これに対して，「原査定を取り消す。本願の発明は特許すべきものとする、との審決を求める。」ことを請求の趣旨として，平成３０年１２月１１日付けで本件審判請求がなされた。
　そして，令和元年８月９日付けで当審により拒絶理由通知（以下，「当審拒絶理由通知」という。）（同年８月２０日発送）がなされ，同年１０月１６日付けで意見書が提出されるとともに，同日付けで手続補正がなされたものである。
第２　原査定の概要
　原査定（平成３０年８月３０日付け拒絶査定）の概要は次のとおりである。
　本願の請求項１ないし４，６ないし９に係る発明は，以下の引用文献Ａ，Ｂに基づいて，その発明の属する技術の分野における通常の知識を有する者（以下，「当業者」という。）が容易に発明できたものであるから，特許法第２９条第２項の規定により特許を受けることができない。
　引用文献等一覧
　　Ａ．池田  利夫，パソコン超活用入門  無線でガッテン！ＬＡＮの基礎  ファイル共有，アスキー．ＰＣ，株式会社アスキー，２００４年　２月　１日，第7巻，pp.86-88
　　Ｂ．特開２０１１−７０５１４号公報
第３　当審拒絶理由の概要
　当審拒絶理由の概要は次のとおりである。
１）本件出願の請求項１ないし９に係る発明は，以下の引用文献１に基づいて，当業者が容易に発明できたものであるから，特許法第２９条第２項の規定により特許を受けることができない。
　引用文献等一覧
　　１．特開２００３−３３３５５９号公報（当審で新たに引用した文献）
２）本件出願の請求項７に係る発明は，特許請求の範囲の記載が不備のため，特許法第３６条第６項第２号に規定する要件を満たしていない。
第４　本願発明
ア　本願請求項１ないし本願請求項８に係る発明（以下，それぞれ「本願発明１」ないし「本願発明８」という。）は，令和元年１０月１６日付けの手続補正で補正された特許請求の範囲の請求項１ないし請求項８に記載された事項により特定される発明であり，本願発明１は以下のとおりの発明である。
「ファイルに関連づけたアイコンを表示部に表示し、該アイコンが選択されることにより関連づけられたファイルを起動する情報処理装置において、
　端末装置と通信接続を行う通信部と、
　ファイルのリンク先を示す起動情報に関連づけてアイコンを管理する管理部と、
　制御部と、を備え、
　前記制御部は、
　前記通信部を介して前記端末装置から前記端末装置において指定された起動情報を受信し、
　受信した起動情報に関連づけられたアイコンを前記表示部に表示し、
　前記端末装置から接続の切断指示を受信した場合、当該端末装置との通信を切断し、併せて、前記起動情報を削除し、当該起動情報に関連づけられたアイコンの表示を削除する
　ことを特徴とする情報処理装置。」
イ　なお，本願発明２ないし本願発明８の概要は以下のとおりである。
（ア）本願発明２ないし６は，本願発明１を直接・間接に引用して減縮した発明である。
（イ）本願発明７は，本願発明１に対応する方法の発明であり，本願発明１とカテゴリー表現が異なるだけの発明である。
（ウ）本願発明８は，本願発明１に対応するプログラムの発明であり，本願発明１とカテゴリー表現が異なるだけの発明である。
第５　引用文献に記載されている技術的事項及び引用発明の認定
ア　本願の原出願の出願日前に頒布（又は電気通信回線を通じて公衆に利用可能となった文献である）され，当審拒絶理由通知において引用された刊行物である，特開２００３−３３３５５９号公報（平成１５年１１月２１日出願公開。以下，「引用文献１」という。）には，図面とともに，以下の技術的事項が記載されている。
（当審注：下線は，参考のために当審で付与したものである。）
Ａ　「【００２８】（第１実施形態）本発明は、図１に示す従来の会議システムに適用することができる。同図に示す会議システムにおいて、会議室には、
ネットワークに接続された複数の端末を用いて会議室内で行われる会議を管理する専用のホストＰＣ１０７
ホストＰＣ１０７には、ネットワークに接続されたノートＰＣを用いて行われる会議を管理するためのホストコンピュータ
Ｂ　「【００４７】図５は、本実施形態に係る会議システムにおけるホストＰＣ１０７の制御を示すフローチャートである。ホストＰＣ１０７の資源がノートＰＣ１０１によって占有される（Ｓ１３０１）。ホストＰＣ１０７は、ホストＰＣ１０７を占有しているノートＰＣ１０１のＩＰ、コンピュータ名、ノートＰＣ１０１においてファイルまたはフォルダが指定された場合はそのファイルまたはフォルダの絶対アドレス等を記憶する。このようにノートＰＣ１０１に関する情報を記憶することにより、ホストＰＣ１０７は、記憶された情報を参照し、ネットワーク１０６を介して容易に占有に係るノートＰＣ１０１のプレゼンテーションファイル等にアクセス可能となる。
【００４８】占有に係る
ノートＰＣ１０１からプレゼンテーションファイルの指定があった場合
プレゼンテーションファイルに関連付けられたアイコンをホストＰＣ１０７のデスクトップ上に表示する
そのアイコンをクリックすることにより、所定のファイルを実行し、
・・・（中略）・・・
【００５０】ノートＰＣ１０１からのファイル指定、フォルダ指定が無い場合は、ノートＰＣ１０１に関連付けられたアイコンをデスクトップ上に表示する（Ｓ１３０８）。そして、
プレゼンテーションが終了し、ノートＰＣ１０１による資源の占有が解除された場合
は、ホストＰＣ１０７のデスクトップ上のアイコンを自動的に削除する
イ　上記Ａ及びＢの記載内容（特に，下線部を参照）からすると，上記引用文献１には，次の発明（以下，「引用発明」という。）が記載されているものと認められる。
「ネットワークに接続された複数のノートＰＣを用いて会議を管理するホストＰＣにおいて，
　ノートＰＣからプレゼンテーションファイルの指定があった場合，プレゼンテーションファイルに関連付けられたアイコンをホストＰＣのデスクトップ上に表示し，当該アイコンをクリックすることにより，所定のファイルを実行し，プレゼンテーションが終了し，ノートＰＣによる資源の占有が解除された場合は，ホストＰＣのデスクトップ上のアイコンを自動的に削除する，
　ことを特徴とするホストＰＣ。」
第６　対比・判断
１　本願発明１について
（１）対比
ア　本願発明１と引用発明とを対比する。
（ア）引用発明の「ノートＰＣ」，「ホストＰＣ」，及び「プレゼンテーションファイル」は，それぞれ，本願発明１の「端末装置」，「情報処理装置」，及び「ファイル」に相当する。そして，引用発明の「当該アイコンをクリックすることにより，所定のファイルを実行」することとは，当該アイコンを選択して実行することにより，所定のファイルを起動することに他ならない。
　してみると，引用発明の「プレゼンテーションファイルに関連付けられたアイコンをホストＰＣのデスクトップ上に表示し，当該アイコンをクリックすることにより，所定のファイルを実行」する「ホストＰＣ」と，本願発明１の「ファイルに関連づけたアイコンを表示部に表示し、該アイコンが選択されることにより関連づけられたファイルを起動する情報処理装置」とは，“ファイルに関連づけたアイコンを表示部に表示し，該アイコンが選択されることにより関連づけられたファイルを起動する情報処理装置”である点で一致する。
（イ）引用発明の「ホストＰＣ」は，複数のノートＰＣとネットワークで接続されているものであることから，実質的にノートＰＣと通信接続を行う“通信部”に相当するものを備えているものと認められる。
　してみると，引用発明と本願発明１とは，“端末装置と通信接続を行う通信部”を備える点で一致する。
（ウ）引用発明の「ホストＰＣ」は，アイコンの表示や削除を行うものであることから，デスクトップ上に表示されるアイコンを管理するための“管理手段”を備えているものと認められる。
　してみると，引用発明と本願発明１とは，“アイコンを管理する管理部”を備える点で一致する。
（エ）引用発明の「ホストＰＣ」が，当該ホストＰＣ上でファイル等を実行するための“制御部”を備えていることは，当業者に自明な事項である。
　してみると，引用発明と本願発明１とは，“制御部”を備える点で一致する。
（オ）引用発明の「ノートＰＣからプレゼンテーションファイルの指定があった場合，プレゼンテーションファイルに関連付けられたアイコンをホストＰＣのデスクトップ上に表示」するとの記載からすると，引用発明は，ノートＰＣからアイコンをデスクトップ上に表示するための情報を受信した場合，受信した当該情報に関連付けられたアイコンをホストＰＣのデスクトップ上に表示するものであるといえる。また，本願発明１は，「前記通信部を介して前記端末装置から前記端末装置において指定された起動情報を受信」するものであるところ，「受信した起動情報に関連づけられたアイコンを前記表示部に表示」することから，“前記通信部を介して前記端末装置からアイコンを表示部に表示するための情報を受信”し，“受信した当該情報に関連付けられたアイコンを前記表示部に表示”するものであるといえる。
　してみると，引用発明の「ノートＰＣからプレゼンテーションファイルの指定があった場合，プレゼンテーションファイルに関連付けられたアイコンをホストＰＣのデスクトップ上に表示」することと，本願発明１の「前記通信部を介して前記端末装置から前記端末装置において指定された起動情報を受信し，受信した起動情報に関連づけられたアイコンを前記表示部に表示」することとは，“前記通信部を介して前記端末装置からアイコンを表示部に表示するための情報を受信し，受信した当該情報に関連付けられたアイコンを前記表示部に表示”する点で共通するといえる。
（カ）引用発明の「プレゼンテーションが終了し，ノートＰＣによる資源の占有が解除された場合」とは，ノートＰＣが当該資源への接続ができなくなることであることから，“通信が切断された場合”といえるものである。
　してみると，引用発明の「プレゼンテーションが終了し，ノートＰＣによる資源の占有が解除された場合は，ホストＰＣのデスクトップ上のアイコンを自動的に削除する」ことと，本願発明１の「前記端末装置から接続の切断指示を受信した場合、当該端末装置との通信を切断し、併せて、前記起動情報を削除し、当該起動情報に関連づけられたアイコンの表示を削除する」こととは，後記する点で相違するものの，“前記端末装置との通信が切断された場合，併せて，アイコンの表示を削除する”点で共通するといえる。
イ　以上（ア）ないし（カ）から，本願発明１と引用発明とは，以下の点で一致し，また，以下の点で相違する。
（一致点）
　ファイルに関連づけたアイコンを表示部に表示し，該アイコンが選択されることにより関連づけられたファイルを起動する情報処理装置において，
　端末装置と通信接続を行う通信部と，
　アイコンを管理する管理部と，
　制御部と，を備え，
　前記制御部は，
　前記通信部を介して前記端末装置からアイコンを表示部に表示するための情報を受信し，
　受信した当該情報に関連付けられたアイコンを前記表示部に表示し，
　前記端末装置との通信が切断された場合，併せて，アイコンの表示を削除する
　ことを特徴とする情報処理装置。
（相違点１）
　本願発明１の「情報処理装置」が，「ファイルのリンク先を示す起動情報に関連づけてアイコンを管理する」ものであり，当該「起動情報」を端末装置から「受信」するものであるのに対し，引用発明の「ホストＰＣ」は，当該起動情報に相当するものをノートＰＣから受信しておらず，当該情報に関連付けてアイコンを管理するものではない点。
（相違点２）
　アイコンを表示部に表示するための情報に関し，本願発明１ではファイルのリンク先を示す「起動情報」であるのに対し，引用発明は「プレゼンテーションファイルの指定」についての情報である点。
（相違点３）
　切断時の処理に関し，本願発明１では，「端末装置から切断指示を受信した場合，」「併せて前記起動情報を削除」するものであるのに対し，引用発明では，ノートＰＣから切断指示を受信することについて明記されておらず，併せてアイコンを表示部に表示するための情報を削除するものではない点。
（２）相違点についての判断
　事案に鑑み，先に相違点１及び相違点３について検討する。
　上記相違点１に係る本願発明１の「ファイルのリンク先を示す起動情報」「を受信」する構成，「起動情報に関連づけてアイコンを管理する」構成，上記相違点３に係る本願発明１の「端末装置から切断指示を受信した場合，」「併せて，前記起動情報を削除」する構成は，いずれも上記引用文献１には記載されておらず，本願の原出願の出願日前において周知技術であるともいえない。
　したがって，他の相違点について判断するまでもなく，本願発明１は，当業者であっても，引用発明に基づいて容易に発明できたものであるとはいえない。
２　本願発明２ないし本願発明６について
　本願発明２ないし本願発明６も，本願発明１の「ファイルのリンク先を示す起動情報」「を受信」する構成，「起動情報に関連づけてアイコンを管理する」構成，「端末装置から切断指示を受信した場合，」「併せて，前記起動情報を削除」する構成を備えるものであるから，上記「１　本願発明１について」と同じ理由により，当業者であっても，引用発明に基づいて容易に発明できたものとはいえない。
３　本願発明７について
　本願発明７は，本願発明１に対応する方法の発明であり，本願発明１の「ファイルのリンク先を示す起動情報」「を受信」する構成，「起動情報に関連づけてアイコンを管理する」構成，「端末装置から切断指示を受信した場合，」「併せて，前記起動情報を削除」する構成に対応するステップを備えるものであるから，上記「１　本願発明１について」と同じ理由により，当業者であっても，引用発明に基づいて容易に発明できたものとはいえない。
４　本願発明８について
　本願発明８は，本願発明１に対応するプログラムの発明であり，本願発明１の「ファイルのリンク先を示す起動情報」「を受信」する構成，「起動情報に関連づけてアイコンを管理する」構成，「端末装置から切断指示を受信した場合，」「併せて，前記起動情報を削除」する構成に対応する構成を備えるものであるから，上記「１　本願発明１について」と同じ理由により，当業者であっても，引用発明に基づいて容易に発明できたものとはいえない。
第７　当審拒絶理由について
１　特許法第２９条第２項について
　上記「第６　対比・判断」で検討したとおり，本願発明１ないし本願発明８は，当業者であっても引用発明に基づいて容易に発明できたものとはいえないから，この拒絶の理由は解消した。
２　特許法第３６条第６項第２号について
　当審では，請求項７の「端末装置において指定された起動情報」における「指定された起動情報」が不明確であるとの拒絶の理由を通知しているが，令和元年１０月１６日付けの補正において，当該請求項は削除された結果，この拒絶の理由は解消した。
第８　原査定についての判断
　令和元年１０月１６日付けの補正により，補正後の請求項１は，とりわけ，「端末装置から切断指示を受信した場合，」「併せて，前記起動情報を削除」する構成となった。
　当該「端末装置から切断指示を受信」した際に，併せて「起動情報を削除」する構成は，原査定における引用文献Ａ，Ｂには記載されておらず，本願の原出願の出願前における周知技術でもないので，本願発明１ないし本願発明８は，当業者であっても，引用文献Ａ，Ｂに記載された発明に基づいて容易に発明できたものとはいえない。したがって，原査定を維持することはできない。
第９　むすび
　以上のとおり，原査定の理由によっては，本願を拒絶することはできない。
　また，他に本願を拒絶すべき理由を発見しない。
　よって結論のとおり審決する。